(57)【要約】【課題】この吸収性物品を装着する際に腹側部あるいは背側部の左右側部の一部が内側に折り込まれたことが容易に判別できるような判別表示を吸収性物品に施す。【解決手段】外装シート３と内面シート４と、外装シート３と内面シート４との間に挟持され、体液を吸収して保持する吸収体２とを備えた縦長形状の吸収性物品１であって、吸収性物品１の腹側部及び／又は背側部は、その長手方向と直角方向の横幅が股側部の横幅よりも広く、腹側部及び／又は背側部の左側部と右側部には判別表示１１Ａ〜１１Ｄが施され、判別表示１１Ａ〜１１Ｄは、左側部及び／又は右側部の一部が内面シート４側又は外装シート３側に折り込まれて、吸収性物品１が前記使用者に装着された場合に、判別表示１１Ａ〜１１Ｄが隠れることにより、左側部及び／又は右側部の一部が内面シート４側又は外装シート３側に折り込まれたことが判別できる判別表示である吸収性物品。【選択図】図７
2017217328.tif 000002
【特許請求の範囲】
【請求項１】
外装シートと内面シートと、この外装シートと内面シートとの間に挟持され、体液を吸収して保持する吸収体とを備えた縦長形状の吸収性物品であって、
前記吸収性物品は、使用者の腹側にあてがう腹側部、該使用者の背側にあてがう背側部及び該使用者の股側にあてがう股側部を備え、
前記腹側部及び／又は前記背側部は、前記吸収性物品の長手方向と直角方向の横幅が前記股側部の該横幅よりも広く、
前記腹側部及び／又は前記背側部の左側部と右側部には判別表示が施され、
前記判別表示は、前記左側部及び／又は前記右側部の一部が前記内面シート側又は前記外装シート側に折り込まれて、前記吸収性物品が前記使用者に装着された場合に、前記判別表示が隠れることにより、前記左側部及び／又は前記右側部の一部が前記内面シート側又は前記外装シート側に折り込まれたことが判別できる判別表示であること
を特徴とする吸収性物品。
【請求項２】
外装シートと内面シートと、この外装シートと内面シートとの間に挟持され、体液を吸収して保持する吸収体とを備えた縦長形状の吸収性物品であって、
前記吸収性物品は、使用者の腹側にあてがう腹側部、該使用者の背側にあてがう背側部及び該使用者の股側にあてがう股側部を備え、
前記腹側部及び／又は前記背側部は、前記吸収性物品の長手方向と直角方向の横幅が前記股側部の該横幅よりも広く、
前記腹側部及び／又は前記背側部の左側部と右側部には判別表示が施され、
前記判別表示は、前記吸収性物品を前記使用者に装着する場合、前記左側部と前記右側部を前記吸収性物品の長手方向と直角方向に広げて前記使用者にあてがうことを、装着者に意識させる判別表示であること
を特徴とする吸収性物品。
【請求項３】
前記判別表示は、広げるべき方向を示す図形を有することを特徴とする請求項２記載の吸収性物品。
【請求項４】
前記吸収体の前記腹側及び／又は前記背側にあてがう部分の前記横幅は、前記吸収体の前記股側にあてがう部分の前記横幅より広いことを特徴とする請求項１乃至請求項３のいずれかに記載した吸収性物品。
【請求項５】
外装シートと内面シートと、この外装シートと内面シートとの間に挟持され、体液を吸収して保持する吸収体とを備えた縦長形状の吸収性物品であって、
前記吸収性物品は、使用者の腹側にあてがう腹側部、該使用者の背側にあてがう背側部及び該使用者の股側にあてがう股側部を備え、
前記腹側部及び前記背側部は、前記吸収性物品の長手方向と直角方向の横幅が前記股側部の該横幅よりも広く、
前記腹側部の面積と前記背側部の面積は異なり、
前記腹側部及び／又は前記背側部の左側部と右側部には判別表示が施され、
前記判別表示は、前記腹側部と前記背側部のいずれの面積が広いかを見分けることができる判別表示であること
を特徴とする吸収性物品。
【請求項６】
前記吸収体の前記腹側及び前記背側にあてがう部分の前記横幅は、前記吸収体の前記股側にあてがう部分の前記横幅より広いことを特徴とする請求項５記載の吸収性物品。
【請求項７】
前記判別表示は、複数の図形が前記吸収性物品の長手方向に配置されて形成されることを特徴とする請求項１乃至請求項４のいずれかに記載した吸収性物品。
【請求項８】
前記判別表示は、複数の図形が前記吸収性物品の長手方向に配置されて形成され、前記腹側部と前記背側部の面積が広い方の左側部と右側部に配置される該図形は、該面積の狭い方の左側部と右側部に配置される該図形より少ないことを特徴とする請求項５又は請求項６記載の吸収性物品。
【請求項９】
前記複数の図形は、前記吸収性物品の長手方向に千鳥状に配置されていることを特徴とする請求項７又は請求項８記載の吸収性物品。
【請求項１０】
前記複数の図形の少なくとも１つには、前記左側部と前記右側部を前記吸収性物品の長手方向と直角方向に広げることを意味する文字が付されていることを特徴とする請求項７乃至請求項９のいずれかに記載した吸収性物品。
【請求項１１】
前記吸収性物品には、前記吸収性物品の長手方向の中心線上にセンターライン表示が設けられていることを特徴とする請求項１乃至請求項１０のいずれかに記載した吸収性物品。
【請求項１２】
前記吸収性物品は、パッドタイプ又はテープ止めタイプの吸収性物品であることを特徴とする請求項１乃至請求項１１のいずれかに記載した吸収性物品。
【発明の詳細な説明】
【技術分野】
【０００１】
本発明は、外装シートと内面シートとその間に挟持された吸収体を備え、パンツ型の紙おむつ等のアウターと組み合わせて使用されるパッドタイプあるいはテープ止めタイプ等の吸収性物品に関するものである。
【背景技術】
【０００２】
紙おむつ等の吸収性物品は、使用者の年齢、性別、用途等に対応して種々の形態のものがある。例えば、パッドタイプの吸収性物品（紙おむつ）は、パンツ型の紙おむつ、おむつカバー、布製下着等のアウターと共に使用される。すなわち、パッドタイプの吸収性物品は、使用者が装着したアウターの内側に挿入されて使用され、使用後は吸収性物品のみが廃棄され、簡易な吸収性物品として、特に成人向けの吸収性物品として広く使用されている。
このパッドタイプの吸収性物品は、外装シート（バックシート）と内面シート（トップシート）とその間に挟持された吸収体を備え、使用者の股部を覆うように腹部から背部にかけて装着され、吸収性物品や吸収体の外形は縦長の形状となっている。
そして、このパッドタイプの吸収性物品においては、吸収体部分を使用者の腹部、股部及び背部（臀部）に密着させて、使用者が排出する体液の漏れを防止する必要がある。そのため、吸収体においては、使用者の腹側や背側にあてがう部分の横幅は、使用者の股側にあてがう部分の横幅より広くなり、これに伴って吸収性物品全体においても、使用者の腹側にあてがう腹側部や使用者の背側にあてがう背側部の横幅は、使用者の股側にあてがう股側部の横幅より広くなっているものも多い。
また、パッドタイプの吸収性物品の同様の構成を備え、背側部の両側部にテープ部材（ファスニングテープ）を設け、腹側部の両側部に止着部材（フロントシート）を設けたテープ止めタイプの吸収性物品も、パッドタイプの吸収性物品の同様に広く使用されている。
このテープ止めタイプの吸収性物品は、パッドタイプの吸収性物品と異なって単独で、
またはパッドと併用して使用され、その使用に際しては、吸収性物品の腹側部、股側部及び背側部を使用者の腹側、股側及び背側にあてがい、背側部のテープ部材（ファスニングテープ）を腹側部の止着部材（フロントシート）に係合させて使用者に装着される。
【０００３】
図１６は、パッドタイプの吸収性物品を拡げて平面的にした状態の正面図であり、図において、１００は吸収性物品、１０１は外装シート（バックシート）、１０２は吸収体、Ｃ１００は長手方向の中心線である。
図１６に示すように、吸収性物品１００においては、外装シート１０１（これに貼り合わされる内面シートを含む）と吸収体１０２は共に、長手方向上部が左右にふくらみ、同方向中央部が左右にへこみ、同方向下部が左右にふくらんだ形状を有し、その横幅（左右方向の幅）は、中央部、上部、下部の順に広くなっている。
この場合、上部は腹側部または背側部となり、中央部が股側部となり、下部が背側部または腹側部となるが、横幅（面積）が下部より狭い上部を腹側部とするか背側部とするかは使用者により異なり、例えば、女性の使用者は上部を腹側部とする場合が多く、男性の使用者は上部を背側部とする場合が多い。
そして、この吸収性物品１００は、省スペースや取扱いの便宜等のため、通常、折り畳んだ状態で運搬・保管される。
図１７は、図１６に示す吸収性物品１００を折り畳む状態を説明した説明図であり、同図（ａ）は折畳み前の吸収性物品１００の正面図、同図（ｂ）は折畳み途中の吸収性物品１００の正面図、同図（ｃ）は折畳み後の吸収性物品１００の正面図であり、図においてｆ１０〜ｆ１２は折り線である。
まず、図１７（ａ）に示すような折畳み前の広げた状態の吸収性物品１００は、長手方向の折り線ｆ１０、ｆ１１に沿って、その左側部と右側部が内側に折り畳まれ、図１６（ｂ）に示すように３つ折り状態とされる。
次いで、３つ折りされた吸収性物品１００は、長手方向と直角方向の折り線ｆ１２に沿って、内側に折り畳まれ、図１７（ｃ）に示すように６つ折り状態とされる。
このようにして折り畳まれた吸収性物品１００を使用する場合、図１７（ａ）に示すように広げた状態で使用者に装着されるが、折り畳まれた腹側部や背側部の左側部と右側部のいずれかが完全に広げられず、その一部が内側または外側に折り込まれた状態で装着されやすい。
そして、吸収性物品の腹側部や背側部の左側部と右側部のいずれかの一部が内側または外側に折り込まれた状態で装着されると、特に、厚みのある吸収体の一部まで内側または外側に折り込まれた状態で装着されたり、シワが入ったりすると、吸収性物品の使用者の肌への密着が悪くなり、使用者が排出する体液が漏れるという問題が生ずる。
そのため、吸収性物品１００を使用者に装着する場合、その腹側部や背側部の左側部と右側部の一部が内側または外側に折り込まれないようにする必要があると共に、吸収性物品１００を使用者に装着する者（装着者）に、その腹側部や背側部を左右に広げるという意識をもたせる必要がある。
また、吸収性物品１００のように、上部（腹側部または背側部）の横幅と下部（背側部または腹側部）の横幅が異なり、上部の面積と下部の面積が異なる場合、どちらの面積が広いのか、すなわち、どちらの左右側部が広いのか分るような表示を行う必要もある。
さらに、吸収性物品１００には、中心線Ｃ１００上に太線等のセンター表示（図示せず）が設けられるため、吸収性物品１００に表示を施す場合は、センター表示の機能を損なわないようにする必要もある。
上記の点は、テープ止めタイプの吸収性物品においても同じである。
【０００４】
ところで、パッドタイプやテープ止めタイプ等の吸収性物品においては、外装シート（バックシート）等に種々の表示がなされている。
例えば、特許文献１（特開２００５−２８７７９１号公報）においては、装着時に併用する紙おむつとの位置合わせを容易に行うことができるようにするため、吸収性物品の幅方向の両側から表面側に巻き込まれたバックシートの両側端から表面内方向に向かって、線形状の長手方向の位置合わせ用目印が長手方向に一定間隔に形成されたり、幅方向の位置合わせ用に着色端部が設けられたりしている。
また、特許文献２（特開２００８−２６４２３２号公報）においては、吸収性物品をパッケージから取り出した後であっても、その吸収能力を識別できるようにするため、バックシートに、吸収体の吸収能力を識別可能な識別部としての情報表示部が、各コーナー部及び中央部に合わせて６箇所に印刷表示されている。
しかしながら、特許文献１や特許文献２に示されたパッドタイプやテープ止めタイプの吸収性物品は、吸収体と吸収性物品全体の横幅は一定であり、腹側部と背側部の横幅が股側部の横幅より広くなっているものではなく、また、バックシートの左右側部に設けられた表示は、左右側部の一部が内側または外側に折り込まれたか否かを判別できるような表示ではない。
この点、特許文献３（特開２０１５−９２９４７号公報）では、前後ウエストパネル（腹側部と背側部）の両側部が互いに接合され、クロッチパネル（股側部）の前後両端部それぞれが前後ウエストパネルそれぞれの肌対向面に接合されたパンツ型の着用物品において、クロッチパネルのサイドフラップにおけるレッグ弾性域の内側縁の折れ曲りを容易に発見できるようにするため、サイドフラップに、前ウエスト域から後ウエスト域まで延びる図柄表示部が設けられている。
しかしながら、特許文献３の図柄表示部は、クロッチパネル（股側部）のサイドフラップ（両側部）の折れ曲がりを発見するためのものであって、前後ウエストパネル（腹側部と背側部）の左右側部の折れ曲がりを発見するためのものではない。
そもそも、特許文献３のようなパンツ型の着用物品においては、パッドタイプやテープ止めタイプの吸収性物品のように、装着時に腹側部や背側部の左右側部の一部が内側または外側に折り込まれるという問題は生じない。
【０００５】
また、特許文献４（特開２００２−２９１７８６号公報）には、体液を吸収して保持する吸収要素を備えた、外側をカバーするカバー手段と組み合わせて使用される吸収性物品において、カバー手段の内面と接する外装シートに前後表記を直に印刷した前後表記付吸収性物品が開示されている。
しかしながら、特許文献４の吸収性物品の外装シートに印刷されるのは、前後表記であって、腹側部と背側部のどちらの面積が広いか、すなわち、どちらの左右側部が広いのかを示すものではない。
しかも、特許文献４の前後表記は、腹側部や背側部の左右側部ではなく中央部に設けられ、腹側部や背側部の左右側部に着目してそのどちらが広いか判別しようとする装着者にとって、位置的にもわかりづらい表記となっている。
【先行技術文献】
【特許文献】
【０００６】
【特許文献１】特開２００５−２８７７９１号公報
【特許文献２】特開２００８−２６４２３２号公報
【特許文献３】特開２０１５−９２９４７号公報
【特許文献４】特開２００２−２９１７８６号公報
【発明の概要】
【発明が解決しようとする課題】
【０００７】
本発明が解決しようとする課題は、外装シートと内面シートとの間に吸収体が挟持され、少なくとも腹側部と背側部のいずれかの横幅が股側部の横幅より広くなっている吸収性物品において、この吸収性物品を装着する際に腹側部あるいは背側部の左右側部の一部が内側または外側に折り込まれたことが容易に判別できるような判別表示を吸収性物品に施すことであり、また、この吸収性物品を使用者に装着する際、装着者にその腹側部や背側部を左右に広げるという意識をもたすような判別表示を吸収性物品に施すことであり、さらに、腹側部と背側部のどちらの面積が広いのか装着者に分るような判別表示を吸収性物品に施すことであり、判別表示が吸収性物品に施されるセンター表示の機能を損なわないようにすることである。
【課題を解決するための手段】
【０００８】
本発明は、外装シートと内面シートと、この外装シートと内面シートとの間に挟持され、体液を吸収して保持する吸収体とを備えた縦長形状の吸収性物品であって、前記吸収性物品は、使用者の腹側にあてがう腹側部、該使用者の背側にあてがう背側部及び該使用者の股側にあてがう股側部を備え、前記腹側部及び／又は前記背側部は、前記吸収性物品の長手方向と直角方向の横幅が前記股側部の該横幅よりも広く、前記腹側部及び／又は前記背側部の左側部と右側部には判別表示が施され、前記判別表示は、前記左側部及び／又は前記右側部の一部が前記内面シート側又は前記外装シート側に折り込まれて、前記吸収性物品が前記使用者に装着された場合に、前記判別表示が隠れることにより、前記左側部及び／又は前記右側部の一部が前記内面シート側又は前記外装シート側に折り込まれたことが判別できる判別表示である吸収性物品を提供して、上記課題を解決するものである。
【０００９】
本発明は、外装シートと内面シートと、この外装シートと内面シートとの間に挟持され、体液を吸収して保持する吸収体とを備えた縦長形状の吸収性物品であって、前記吸収性物品は、使用者の腹側にあてがう腹側部、該使用者の背側にあてがう背側部及び該使用者の股側にあてがう股側部を備え、前記腹側部及び／又は前記背側部は、前記吸収性物品の長手方向と直角方向の横幅が前記股側部の該横幅よりも広く、前記腹側部及び／又は前記背側部の左側部と右側部には判別表示が施され、前記識別表示は、前記吸収性物品を前記使用者に装着する場合、前記左側部と前記右側部を前記吸収性物品の長手方向と直角方向に広げて前記使用者にあてがうことを装着者に意識させる判別表示である吸収性物品を提供して、上記課題を解決するものである。
【００１０】
本発明は、前記判別表示は、広げるべき方向を示す図形を有する吸収性物品を提供して、上記課題を解決するものである。
【００１１】
本発明は、前記吸収体の前記腹側及び／又は前記背側にあてがう部分の前記横幅は、前記吸収体の前記股側にあてがう部分の前記横幅より広い吸収性物品を提供して、上記課題を解決するものである。
【００１２】
本発明は、外装シートと内面シートと、この外装シートと内面シートとの間に挟持され、体液を吸収して保持する吸収体とを備えた縦長形状の吸収性物品であって、前記吸収性物品は、使用者の腹側にあてがう腹側部、該使用者の背側にあてがう背側部及び該使用者の股側にあてがう股側部を備え、前記腹側部及び前記背側部は、前記吸収性物品の長手方向と直角方向の横幅が前記股側部の該横幅よりも広く、前記腹側部の面積と前記背側部の面積は異なり、前記腹側部及び／又は前記背側部の左側部と右側部には判別表示が施され、前記判別表示は、前記腹側部と前記背側部のいずれの面積が広いかを見分けることができる判別表示である吸収性物品を提供して、上記課題を解決するものである。
【００１３】
本発明は、前記吸収体の前記腹側及び前記背側にあてがう部分の前記横幅は、前記吸収体の前記股側にあてがう部分の前記横幅より広い吸収性物品を提供して、上記課題を解決するものである。
【００１４】
本発明は、前記判別表示は、複数の図形が前記吸収性物品の長手方向に配置されて形成される吸収性物品を提供して、上記課題を解決するものである。
【００１５】
本発明は、前記判別表示は、複数の図形が前記吸収性物品の長手方向に配置されて形成され、前記腹側部と前記背側部の面積が広い方の左側部と右側部に配置される該図形は、該面積の狭い方の左側部と右側部に配置される該図形より少ない吸収性物品を提供して、上記課題を解決するものである。
【００１６】
本発明は、前記複数の図形は、前記吸収性物品の長手方向に千鳥状に配置されている吸収性物品を提供して、上記課題を解決するものである。
【００１７】
本発明は、前記複数の図形の少なくとも１つには、前記左側部と前記右側部を前記吸収性物品の長手方向と直角方向に広げることを意味する文字が付されている吸収性物品を提供して、上記課題を解決するものである。
【００１８】
本発明は、前記吸収性物品には、前記吸収性物品の長手方向の中心線上にセンター表示が設けられている吸収性物品を提供して、上記課題を解決するものである。
【００１９】
本発明は、前記吸収性物品は、パッドタイプ又はテープ止めタイプの吸収性物品である吸収性物品を提供して、上記課題を解決するものである。
【発明の効果】
【００２０】
請求項１に記載の発明の吸収性物品においては、吸収性物品を装着する際に腹側部あるいは背側部の左側部及び／又は右側部の一部が内側または外側に折り込まれたことが容易に判別できるという効果を奏する。
【００２１】
請求項２に記載の発明の吸収性物品においては、吸収性物品を使用者に装着する際、装着者にその腹側部や背側部を左右に広げるという意識をもたすという効果を奏する。
【００２２】
請求項３に記載の発明の吸収性物品においては、さらに、装着者にその腹側部や背側部を左右に広げるという意識を直観的にもたすという効果を奏する。
【００２３】
請求項４に記載の発明の吸収性物品においては、請求項１乃至請求項３のいずれかに記載した発明の吸収性物品と同様の効果を奏する。
【００２４】
請求項５に記載の発明の吸収性物品においては、腹側部と背側部のどちらの面積が広いのか装着者に分りやすいという効果を奏する。
【００２５】
請求項６に記載の発明の吸収性物品においては、股部より左右にふくらんだ腹側部と背側部のどちらの面積が広いのか装着者に分りやすいという効果を奏する
【００２６】
請求項７に記載の発明の吸収性物品においては、請求項１又は請求項２に記載の発明の吸収性物品と同様の効果を奏する。
【００２７】
請求項８に記載の発明の吸収性物品においては、請求項５又は請求項６に記載の発明の吸収性物品と同様の効果を奏する。
【００２８】
請求項９に記載の発明の吸収性物品においては、請求項７又は請求項８に記載の発明の吸収性物品と同様の効果を奏する。
【００２９】
請求項１０に記載の発明の吸収性物品においては、請求項７乃至請求項９に記載の発明の吸収性物品と同様の効果を奏する。
【００３０】
請求項１１に記載の発明の吸収性物品においては、さらに、センターライン表示の機能が損なわれないという効果を奏する。
【００３１】
請求項１２に記載の発明の吸収性物品においては、さらに、汎用性の高いパッドタイプ又はテープ止めタイプの吸収性物品において上記の効果を奏する。
【図面の簡単な説明】
【００３２】
【図１】本発明が適用されるパッドタイプの吸収性物品を広げて平面的にした状態の正面図である。
【図２】図１の吸収性物品の背面図である。
【図３】図２のＹ−Ｙ断面図である。
【図４】図２のＸ−Ｘ断面図である。
【図５】起立部５ａ、６ａが起立して立体ギャザーを形成した状態におけるＸ−Ｘ断面図である。
【図６】吸収性物品１の領域を表した説明図である。
【図７】本発明の判別表示が施された吸収性物品の一実施形態を広げて平面的にした状態の正面図である。
【図８】文字を付加した判別表示１１Ａ〜１１Ｄの例を示した説明図である。
【図９】図７に示す判別表示を構成する図形とは異なる図形から構成される判別表示が施された吸収性物品１を広げて平面的にした状態の正面図である。
【図１０】図７の判別表示とは異なる表現方法で判別表示を施した吸収性物品１の正面図である。
【図１１】判別表示１１Ａ〜１１Ｄとセンター表示を設けた吸収性物品１を広げて平面的にした状態の正面図である。
【図１２】センター表示２１と判別表示１１Ａ〜１１Ｄとは異なる判別表示を設けた吸収性物品１を広げて平面的にした状態の正面図である。
【図１３】文字を付加した判別表示２３Ａ〜２３Ｄの例を示した説明図である。
【図１４】吸収性物品１とは異なる形状の吸収性物品に判別表示を設けた態様の吸収性物品を広げて平面的にした状態の正面図である。
【図１５】テープ止めタイプの吸収性物品に判別表示を設けた態様の吸収性物品を広げて平面的にした状態の正面図である。
【図１６】パッドタイプの吸収性物品を拡げて平面的にした状態の正面図である。
【図１７】図１６に示す吸収性物品１００を折り畳む状態を説明した説明図である。
【発明を実施するための形態】
【００３３】
［パッドタイプの吸収性物品の基本構成］
本発明をパッドタイプの吸収性物品に適用した実施形態について説明するが、まず、パッドタイプの吸収性物品の基本構成について説明する。
図１は、本発明が適用されるパッドタイプの吸収性物品を拡げて平面的にした状態の正面図、図２は図１の吸収性物品の背面図、図３は図２のＹ−Ｙ断面図、図４は図２のＸ−Ｘ断面図である。
図中、１はパッドタイプの吸収性物品、２は吸収体、３は外装シート、３ａはポリエチレンフィルム、３ｂは不織布、４は内面シート、５、６は立体ギャザーシート、５ａ、６ａは起立部、５ｂ、６ｂは先端縁、５ｃ、６ｃは折返し部、ＳＦはサイドフラップ、Ｄ１、Ｄ２は弾性部材である。
図に示すように吸収性物品１は、吸収体２と、これを正面側から覆う外装シート３と、吸収体２を背面側から覆う内面シート４と、内面シート４に重ねられる立体ギャザーシート５、６から構成される。
吸収体２は、高吸収性ポリマー粒子を含む綿状パルプを主体としてこれに吸収紙等（図示せず）を組み合わせたものからなり、使用者が排出した体液等を吸収して保持する。
外装シート３は、バックシートとも呼ばれ、図３と図４に示すように不透液性のポリエチレンフィルム３ａと不織布３ｂを積層したものである。不織布３ｂは外観や肌ざわりを良くするために積層しているもので、ポリエチレンフィルム３ｂだけで外装シート３が構成されていてもよい。
また、吸収性物品１を表す図には示していないが、通常、紙おむつに使用されるようなアウターや身体に吸収性物品を固定する手段として、粘着材、フック材などの係止手段を外装シート３に設けたり、ベルト状やタブ状の固定手段を外装シート３に設けてもよい。
内面シート４は、トップシートとも呼ばれ、不織布からなる。
この外装シート３と内面シート４は、吸収体２の周縁より外側で重なり合い、この重なり合う部分で互いに接着剤（図示せず）や熱融着により接着され、これにより、吸収体２が封入される。
【００３４】
立体ギャザーシート５、６は、不織布からなり、図４に示すように起立部５ａ、６ａを除いて外装シート３に接着剤（図示せず）で接着されている。起立部５ａ、６ａは、その先端部が折り返されて折返し部５ｂ、６ｂを形成し、この折返し部５ｂ、６ｂにゴム糸等の弾性部材Ｄ１、Ｄ２が挟まれ、折返し部５ｂ、６ｂの重なり合う面は接着剤（図示せず）や熱融着によって接着されている。
図５は、起立部５ａ、６ａが起立して立体ギャザーを形成した状態におけるＸ−Ｘ断面図である。
弾性部材Ｄ１、Ｄ２は、図２に示すように、吸収性物品１の長手方向に沿って配置され、伸長した状態で折返し部５ｂ、６ｂに接着固定されるため、弾性部材Ｄ１、Ｄ２が縮むことにより、吸収性物品１全体が、長手方向に外装シート３側が凸となるように湾曲し、これにより図５に示すように先端縁５ｂ、６ｂが内面シートから離れて起立部５ａ、６ａがハの字状に起立し、アーチ状の立体ギャザーを形成する。このようにして立体ギャザーを形成することにより、体液等の横漏れが防止される。
サイドフラップＳＦは、外装シート３と内面シート４を貼り合わせたフラップ状の部分であり、吸収体２の周縁より外側に形成されている。
なお、弾性部材Ｄ１、Ｄ２は、各1本ずつ配置されているが、複数本ずつ配置してもよく、また、立体ギャザーシート５、６は、上記と異なる構成であってもよく、さらに、立体ギャザーシート５、６を設けなくてもよい。
【００３５】
［吸収性物品の領域］
図６は、吸収性物品１の領域を表した説明図であり、図において、ｇ１、ｇ２は外形線、ｍ１、ｍ２、ｎ１、ｎ２は仮想線、Ｒ１〜Ｒ４は領域であり、吸収性物品１の長手方向と直角方向（横方向）をＸ方向、長手方向（縦方向）をＹ方向とする。
図６に示すように、吸収性物品１を、Ｘ方向（横方向）において仮想線ｍ１、ｍ２により左側部Ｘ１、中央部Ｘ２、右側部Ｘ３に分割し、Ｙ方向（縦方向）において仮想線ｎ１、ｎ２により上部Ｙ１、中央部Ｙ２、下部Ｙ３に分割する。
これより、吸収性物品１においては、上部Ｙ１の左側部Ｘ１に、左側の外形線ｇ１と仮想線ｍ１、ｎ１により領域Ｒ１が形成され、上部Ｙ１の右側部Ｘ３に、右側の外形線ｇ２と仮想線ｍ２、ｎ１により領域Ｒ２が形成され、下部Ｙ３の左側部Ｘ１に、左側の外形線ｇ１と仮想線ｍ１、ｎ２により領域Ｒ３が形成され、下部Ｙ３の右側部Ｘ３に、右側の外形線ｇ２と仮想線ｍ２、ｎ２により領域Ｒ４が形成される。
【００３６】
［吸収性物品１と吸収体２の外形］
吸収性物品１の外形と吸収体２の外形は、図６に示すように近似し、共にＹ方向（縦方向）に縦長の形状であって、Ｘ方向（横方向）の幅（横幅）は変化している。
そして、上部Ｙ１と下部Ｙ３において、吸収性物品１の吸収体２の外形はＸ方向にふくらみ、中央部Ｙ２において、吸収性物品１と吸収体２の外形はＸ方向にへこみ、下部Ｙ３の横幅は上部Ｙ１の横幅より広く、下部Ｙ３の面積も上部Ｙ１の面積より広くなっている。
すなわち、吸収性物品１と吸収体２は共に、中央部Ｙ２、上部Ｙ１、下部Ｙ３の順に横幅と面積が広くなっている。
このように吸収性物品１と吸収体２の外形の横幅と面積を変化させているのは、股部より幅も長さも大きい吸収性物品を、身体に沿った形状にすることで、吸収体や立体ギャザーを使用者の腹側、股側及び背側（臀部）に密着させ、使用者が排出する体液等の漏れを防止したり、吸収体の剛性による違和感を軽減するためである。
この場合、中央部Ｙ２は使用者の股側にあてがわれる股側部となる。
また、広い方のふくらみ部である下部Ｙ３が、使用者の腹側にあてがう腹側部となるか背側（臀部）にあてがう背側部となるかは、必ずしも一定しておらず、使用者や用途によって異なっている。
例えば、使用者が女性の場合は、下部Ｙ３が背側（臀部）にあてがう背側部となることが多く、使用者が男性の場合は、下部Ｙ３が腹側にあてがう腹側部となることが多い。また、ベッドに横になって使用する場合は、下部Ｙ３を背部（臀部）の下に敷き込むようすることから、使用者の性別にかかわらず、下部Ｙ３が背側部となる。
なお、本発明が適用されるパッドタイプの吸収性物品等の形状（外形）は、図１〜図６に示す吸収性物品１のような上部と下部がＸ方向にふくらんだ外形に限定されるものではなく、上部または下部のいずれか一方のみがＸ方向にふくらみ、他方は中央部と同じ横幅であってもよい。吸収体についても同様に、上部または下部のいずれか一方のみがＸ方向にふくらみ、他方は中央部と同じ横幅であってもよい。
【００３７】
［判別表示の構成等］
図７は、本発明の判別表示が施された吸収性物品の一実施形態を広げて平面的にした状態の正面図であり、図において、１０ａ、１０ｂは図形、１１Ａ〜１１Ｄは判別表示である。
図７に示すように、吸収性物品１においては、判別表示１１Ａが領域Ｒ１のサイドフラップＳＦ１に設けられ、判別表示１１Ｂが領域Ｒ２のサイドフラップＳＦ２に設けられ、判別表示１１Ｃが領域Ｒ３のサイドフラップＳＦ３に設けられ、判別表示１１Ｄが領域Ｒ４のサイドフラップＳＦ４に設けられている。
判別表示１１Ａは、左側を頂点とする正三角形ないし二等辺三角形をＸ方向に２個並べた図形１０ａをＹ方向に３個配置したものであり、判別表示１１Ｂは、図形１０ａと線対称となる図形１０ｂをＹ方向に３個配置したものであり、判別表示１１Ｃは、図形１０ａをＹ方向に５個配置したものであり、判別表示１１Ｄは、図形１０ｂをＹ方向に５個配置したものである。
判別表示１１Ａ〜１１Ｄを構成する図形１０ａ、１０ｂの形状、大きさ、個数は、図７に示すものに限定されず、これらを変えてもよい。例えば、図形１０ａ、１０ｂを図７のものより大きくして、個数を減らしてもよく（例えば、領域Ｒ１とＲ２には図形１０ａ等を２個、領域Ｒ３とＲ４には図形１０ａ等を４個配置する）、逆に、図形１０ａ、１０ｂを図７のものより小さくして、個数を増やしてもよい（例えば、領域Ｒ１とＲ２には図形１０ａ等を４個、領域Ｒ３とＲ４には図形１０ａ等を６個配置する。）。
判別表示１１Ａ〜１１Ｄは、外装シート３のポリエチレンフィルム３ａに印刷されることにより、サイドフラップＳ１〜ＳＦ４に設けられる。判別表示１１Ａ〜１１Ｄが印刷されたポリエチレンフィルム３ａは不織布３ｂに覆われているが、不織布３ｂは薄いため、外部から判別表示１１Ａ〜１１Ｄを視認することができる。
また、判別表示１１Ａ〜１１Ｄは、ポリエチレンフィルム３ａではなく不織布３ｂの外側の面あるいは内側の面に印刷してもよい。
さらに、判別表示１１Ａ〜１１Ｄの表示方法も印刷に限定されるものではなく、判別表示１１Ａ〜１１Ｄを印刷したラベル等をポリエチレンフィルム３ａあるいは不織布３ｂ等に貼り付けたり、異なる色のシートを判別表示１１Ａ〜１１Ｄの形状にくり抜いたり（例えば、ポリエチレンフィルム３ａと不織布３ｂを異なる色とし、不織布３ｂを判別表示１１Ａ〜１１Ｄの形状にくり抜く）してもよい。
そして、判別表示１１Ａ〜１１Ｄが設けられた吸収性物品１は、図１６に示すように、Ｘ方向に３つ折りされ（左側部Ｘ１と右側部Ｘ３が内面シート４側に折り畳まれ）、さらに、Ｙ方向に２つ折りされた状態に折り畳まれて保管される。このとき、領域Ｒ１〜Ｒ４に設けられた判別表示１１Ａ〜１１Ｄは、折り畳まれた吸収性物品１の内側に隠れ、外部からは視認できない状態となる。
なお、吸収性物品１の左側部Ｘ１と右側部Ｘは、必ずしも仮想線ｍ１、ｍ２に沿って折り畳む必要はなく、仮想線ｍ１、ｍ２の近傍を折り畳んでもよい。
【００３８】
［判別表示の機能１］
この折り畳まれた吸収性物品１は、図７に示すように広げられて使用者にあてがわれて装着される。その際、上部Ｙ１や下部Ｙ３（腹側部や背側部）の左側部Ｘ１や右側部Ｘ３（領域Ｒ１〜Ｒ４）が完全に広げられず、その一部が内面シート４側または外装シート３側に折り込まれた状態であてがわれた場合、判別表示１１Ａ〜１１Ｄのうち、折り込まれた部分に設けられた判別表示が隠れた状態のままとなる。このとき、装着者は、判別表示が見えないことから、吸収性物品１の一部が内側または外側に折り込まれていることに気づき、折り込まれた部分を広げて吸収性物品１を装着することとなり、使用者の体液が漏れるのを防止できる。
このように判別表示１１Ａ〜１１Ｄは、吸収性物品１の左側部Ｘ１や右側部Ｘ３の一部が折り込まれて使用者にあてがわれた場合、隠れて見えないことにより、吸収性物品１の一部が折り込まれていることを装着者に気づかせる機能（機能１）を果たす。
そのため、判別表示１１Ａ〜１１Ｄは、吸収性物品１の折り込まれやすい部分である左右にふくらんだ上部Ｙ１と下部Ｙ３の左側部Ｘ１と右側部Ｘ３（領域Ｒ１〜Ｒ４）に設けられる。
【００３９】
［判別表示の機能２］
次に、判別表示１１Ａ〜１１Ｄを構成する図形１０ａ、１０ｂにおいて、図形１０ａを形成する２個の三角形の頂点は、吸収性物品１の左側の外縁となる外形線ｇ１側に位置し、図形１０ｂを形成する２個の三角形の頂点は、吸収性物品１の右側の外縁となる外形線ｇ２側に位置する。
このため、図形１０ａは左向きの矢印の機能を果し、図形１０ａで形成される判別表示１１Ａと１１Ｃは、この判別表示が設けられた部分（領域Ｒ１、Ｒ３）を左に向けること示唆する。
また、図形１０ｂは右向きの矢印の機能を果し、図形１０ｂで形成される判別表示１１Ｂと１１Ｄは、この判別表示が設けられた部分（領域Ｒ２、Ｒ４）を右に向けること示唆する。
すなわち、判別表示１１Ａは、この判別表示が設けられた上部Ｙ１の左側部Ｘ１（領域Ｒ１）を左方向に広げることを示唆し、判別表示１１Ｂは、この判別表示が設けられた上部Ｙ１の右側部Ｘ３（領域Ｒ２）を右方向に広げることを示唆し、判別表示１１Ｃは、この判別表示が設けられた下部Ｙ３の左側部Ｘ１（領域Ｒ３）を左方向に広げることを示唆し、判別表示１１Ｄは、この判別表示が設けられた下部Ｙ３の右側部Ｘ３（領域Ｒ４）を右方向に広げることを示唆する。
これにより、判別表示１１Ａ〜１１Ｄは、吸収性物品１を使用者にあてがう際に、左側部Ｘ１と右側部Ｘ３を左右方向に広げて使用者にあてがうことを、装着者に意識させる機能（機能２）を果たす。
【００４０】
このような判別表示１１Ａ〜１１Ｄの機能２は、判別表示１１Ａ〜１１Ｄに文字を付加することでさらに強められる。
図８は、文字を付加した判別表示１１Ａ〜１１Ｄの例を示した説明図であり、図において、ｗ１、ｗ２は文字である。
図８に示すように、判別表示１１Ａにおいて、中段の図形１０ａには、上から下に「ひろげる」と表記した文字ｗ１が付加され（同図（ａ））、判別表示１１Ｂにおいて、中段の図形１０ｂには、下から上に「ひろげる」と表記した文字ｗ２が付加され（同図（ｂ））、判別表示１１Ｃにおいて、上段と中段と下段の図形１０ａには文字ｗ１が付加され（同図（ｃ））、判別表示１１Ｄにおいて、上段と中段と下段の図形１０ｂには文字ｗ２が付加されている（同図（ｄ））。
このように、判別表示１１Ａ〜１１Ｄに「ひろげる」を意味する文字ｗ１、ｗ２を付加することにより、左側部Ｘ１と右側部Ｘ３を左右方向に広げて吸収性物品１を使用者にあてがうことを、装着者に強く意識させることができる。
なお、判別表示１１Ａ〜１１Ｄに付加する文字は、「ひろげる」と表記された文字ｗ１、ｗ２に限定されるものではなく、「広げる」、「拡張」、「引っ張る」等、Ｘ方向（左右方向）に広げることを意味する文字であればよい。
【００４１】
［判別表示の機能３］
吸収性物品１の上部Ｙ１に設けられた判別表示１１Ａ、１１Ｂは、３個の図形１０ａ、１０ｂから構成され、吸収性物品１の下部Ｙ３に設けられた判別表示１１Ｃ、１１Ｄは、５個の図形１０ａ、１０ｂから構成される。
そして、判別表示１１Ａ〜１１Ｄを構成する図形１０ａ、１０ｂの間隔は同じであるから、判別表示１１Ｃにおける最上段の図形１０ａと最下段の図形１０ａの距離は、判別表示１１Ａにおける最上段の図形１０ａと最下段の図形１０ａの距離より長く、判別表示１１Ｄにおける最上段の図形１０ｂと最下段の図形１０ｂの距離は、判別表示１１Ｂにおける最上段の図形１０ｂと最下段の図形１０ｂの距離より長いこととなる。
これより、装着者にとって、５個の図形１０ａ、１０ｂが配置された下部Ｙ３の方が、３個の図形１０ａ、１０ｂが配置された上部Ｙ１よりＹ方向（長手方向）に長く、下部Ｙ３の面積は上部Ｙ１の面積より広いことが一目瞭然となり、吸収性物品１の使用者に装着する際に、上部Ｙ１と下部Ｙ３をあてがう部分を誤ることがなくなる。
また、装着者にとって、折り畳まれた吸収性物品１を完全に広げて、上部Ｙ１と下部Ｙ３のどちらが広いかを確認したり、外装シート３の中央部に設けられたマーク（上部Ｙ１より下部Ｙ３が広いことを表すマーク）等を見たりしなくても、いずれかの折り目を開いて判別表示１１Ａ〜１１Ｄを見るだけで、上部Ｙ１と下部Ｙ３のどちらが広いかの判別が可能となり、吸収性物品１を使用者にあてがう向きをすばやく判断できる。
このように、判別表示１１Ａ〜１１Ｄは、吸収性物品１の上部Ｙ１と下部Ｙ３のどちらの面積が広いかを見分けやすくする機能（機能３）を果たす。
この場合、上部Ｙ１と下部Ｙ３に配置される図形１０ａ、１０ｂの個数は、図７に示す３個と５個に限定されるものではなく、面積の狭い方に配置される図形１０ａ、１０ｂの個数が、面積の広い方に配置される図形１０ａ、１０ｂの個数より少なければよいが、面積の相違に対応して個数も相違することが望ましい。例えば、下部Ｙ３の面積が上部Ｙ１の面積の２倍であれば、下部Ｙ３に配置される図形１０ａ等の個数は、上部Ｙ１に配置される図形１０ａ等の個数の２倍とすることが望ましい。
【００４２】
［判別表示を構成する図形の他の例］
図９は、図７に示す判別表示を構成する図形とは異なる図形から構成される判別表示が施された吸収性物品１を広げて平面的にした状態の正面図であり、図において、１２ａ、１２ｂは図形、１３Ａ〜１３Ｄは判別表示である。
図９に示すように、吸収性物品１においては、判別表示１３Ａ〜１３Ｄがそれぞれ領域Ｒ１〜Ｒ４のサイドフラップＳＦ１〜ＳＦ４に設けられている。
判別表示１３Ａは、左向きの矢印を表す図形１２ａをＹ方向に３個配置したものであり、判別表示１３Ｂは、右向きの矢印を表す図形１２ｂをＹ方向に３個配置したものであり、判別表示１３Ｃは、図形１２ａをＹ方向に５個配置したものであり、判別表示１３Ｄは、図形１２ｂをＹ方向に５個配置したものである。
この判別表示１３Ａ〜１３Ｄは、判別表示１１Ａ〜１１Ｄ（図７）と同様に、外装シート３のポリエチレンフィルム３ａに印刷されること等により、サイドフラップＳ１〜ＳＦ４に設けられる。
そして、判別表示１３Ａ〜１３Ｄは、判別表示１１Ａ〜１１Ｄ（図７）と同様に、吸収性物品１の左側部Ｘ１や右側部Ｘ３の一部が折り込まれて使用者にあてがわれた場合、隠れて見えないことにより、吸収性物品１の一部が折り込まれていることを装着者に気づかせる機能１を果たす。
また、判別表示１３Ａ、１３Ｃを構成する図形１２ａは左向きの矢印であることから、判別表示１３Ａと１３Ｃは、この判別表示が設けられた部分（領域Ｒ１、Ｒ３）を左に向けること示唆し、判別表示１３Ｂ、１３Ｄを構成する図形１２ｂは右向きの矢印であることから、判別表示１３Ｂと１３Ｄは、この判別表示が設けられた部分（領域Ｒ１、Ｒ３）を左に向けること示唆する。
これにより、判別表示１３Ａ〜１３Ｄは、判別表示１１Ａ〜１１Ｄと同様に、吸収性物品１を使用者にあてがう際に、左側部Ｘ１と右側部Ｘ３を左右方向に広げて使用者にあてがうことを、装着者に意識させる機能２を果たす。
この場合、判別表示１３Ａ〜１３Ｄに、判別表示１１Ａ〜１１Ｄと同様の「ひろげる」を意味する文字ｗ１、ｗ２を付加することにより、左側部Ｘ１と右側部Ｘ３を左右方向に広げて吸収性物品１を使用者にあてがうことを、装着者に強く意識させることができる。
さらに、吸収性物品１の上部Ｙ１に設けられた判別表示１３Ａ、１３Ｂは、３個の図形１２ａ、１２ｂから構成され、吸収性物品１の下部Ｙ３に設けられた判別表示１３Ｃ、１３Ｄは、５個の図形１２ａ、１２ｂから構成され、判別表示１３Ａ、１３Ｂを構成する図形の個数と、判別表示１３Ｃ、１３Ｄを構成する図形の個数が異なる。
これより、判別表示１３Ａ〜１３Ｄは、判別表示１１Ａ〜１１Ｄと同様に、吸収性物品１の上部Ｙ１と下部Ｙ３のどちらの面積が広いかを見分けやすくする機能３を果たす。
【００４３】
［判別表示の他の表現方法］
図１０は、図７の判別表示とは異なる表現方法で判別表示を施した吸収性物品１の正面図であり、図において、１４ａ、１４ｂは図形、１５Ａ〜１５Ｄは着色領域、１６Ａ〜１６Ｄは判別表示である。
図１０に示すように判別表示１６Ａ〜１６Ｄを構成する図形１４ａ、１４ｂの形状、配置、個数は、図７の判別表示１１Ａ〜１１Ｄを構成する図形１０ａ、１０ｂの形状、配置、個数と同じであるが、判別表示１６Ａ〜１６Ｄの表示方法が判別表示１１Ａ〜１１Ｄの表示方法が異なっている。
すなわち、図１０の吸収性物品１においては、領域Ｒ１〜Ｒ４の各々の左側部又は右側部に一の色彩を施した着色領域１５Ａ〜１５Ｄが設けられ、その着色領域の中に、白抜きの図形１４ａ、１４ｂで構成される判別表示１６Ａ〜１６Ｄが設けられている。
そして、判別表示１６Ａ〜１６Ｄは、判別表示１１Ａ〜１１Ｄが備えている機能１〜３と同じ機能を備えている。  
このように着色領域１５Ａ〜１５Ｄを設けてその中に白抜きの図形１４ａ、１４ｂで判別表示１６Ａ〜１６Ｄを構成することにより、判別表示１６Ａ〜１６Ｄをより目立たせることができる。
【００４４】
［判別表示とセンター表示の組合せ］
図１１は、判別表示１１Ａ〜１１Ｄとセンター表示を設けた吸収性物品１を広げて平面的にした状態の正面図であり、図において、２０は図形、２１はセンター表示、ＣＬは吸収性物品１のＹ方向（長手方向）の中心線である。
図１１に示すように、吸収性物品１には、領域Ｒ１〜Ｒ４のサイドフラップＳＦ１〜ＳＦ４に判別表示１１Ａ〜１１Ｄが設けられると共に、中央部Ｘ２の中心線ＣＬに沿ってセンター表示２１が設けられている。
センター表示２１は、ひし形（正方形）の図形２０をＹ方向に多数配置した２列のひし形列から構成され、そのＹ方向の中心線と中心線ＣＬは一致している。
センター表示２１は、吸収性物品１を使用者にあてがって装着する際の、吸収性物品１と使用者の位置合わせ用として機能するもので、通常のパッドタイプの吸収性物品には、種々の形のセンター表示が設けられている。
このため、センター表示が設けられたパッドタイプの吸収性物品に、上記の機能１〜３を備えた判別表示を設ける場合、センター表示と判別表示がデザイン的に調和すると共に、センター表示と判別表示が重なる等して互いの機能を損なうことがないようにする必要がある。
この点、図１１に示すように、判別表示１１Ａ〜１１Ｄを構成する図形１０ａ、１０ｂと、センター表示２１を構成する図形２０は、共に２個の二等辺三角形を組合せた点で共通し、判別表示１１Ａ〜１１Ｄとセンター表示２１は、デザイン的に調和している。
また、判別表示１１Ａ〜１１Ｄは、左側部Ｘ１と右側部Ｘ３の外形線ｇ１、ｇ２寄りに設けられ、センター表示２１は、中央部Ｘ２の中心線ＣＬ近傍に設けられ、判別表示１１Ａ〜１１Ｄとセンター表示２１は、互いに離れた位置に設けられているため、重なる等して互いの機能を損なうこともない。
したがって、判別表示１１Ａ〜１１Ｄは、図１１に示すようなセンター表示２１が設けられた吸収性物品１に適している。
なお、吸収性物品１に設けるセンター表示は、図１１に示すセンター表示２１に限定されるものではなく、例えば、図形２０を円、正方形、星形、十字形等としたものでもよい。
【００４５】
［センター表示と共に設ける判別表示の他の例］
図１２は、センター表示２１と判別表示１１Ａ〜１１Ｄとは異なる判別表示を設けた吸収性物品１を広げて平面的にした状態の正面図であり、図において、２２ａ、２２ｂは図形、２３Ａ〜２３Ｄは判別表示である。
図１２に示すように、吸収性物品１においては、図１１に示すセンター表示２１が設けられ、さらに、判別表示２３Ａ〜２３Ｄがそれぞれ領域Ｒ１〜Ｒ４のサイドフラップＳＦ１〜ＳＦ４に設けられている。
判別表示２３Ａは、左側を頂点とする正三角形ないし二等辺三角形の図形２２ａをＹ方向に千鳥状に５個配置したものであり、判別表示２３Ｂは、右側を頂点とする正三角形ないし二等辺三角形の図形２２ｂをＹ方向に千鳥状に５個配置したものであり、判別表示２３Ｃは、図形２２ａをＹ方向に千鳥状に９個配置したものであり、判別表示２３Ｄは、図形２２ｂをＹ方向に千鳥状に９個配置したものである。
図１１の判別表示１１Ａ〜１１Ｄにおいては、図形１０ａ、１０ｂがＹ方向に直線状に配置されており、センター表示２１においても、図形２０がＹ方向に直線状に配置されているため、判別表示１１Ａ〜１１Ｄの各々とセンター表示２１とのＸ方向の距離が視覚的にとらえやすくなっている。
このため、判別表示１１Ａ〜１１Ｄが中心線ＣＬから左右均等の位置に設けられなかった場合、左側部Ｘ１に設けられた判別表示１１Ａ、１１Ｃとセンター表示２１との距離が、右側部Ｘ３に設けられた判別表示１１Ｂ、１１Ｄとセンター表示２１との距離と異なり、それが視覚的に見分けやすくなり、観者（装着者）は、あたかもセンター表示２１が中心線ＣＬからずれた位置に設けられた粗悪品ないし不良品であるかのような印象を持つ。
この点、判別表示２３Ａ〜２３Ｄにおいては、図形２２ａ、２２ｂが、千鳥状に配置されて直線を意識させないため、判別表示２３Ａ〜２３Ｄが中心線ＣＬから左右均等の位置に設けられなかった場合でも、判別表示１１Ａ〜１１Ｄの場合のように、観者（装着者）が、あたかもセンター表示２１が中心線ＣＬからずれた位置に設けられた粗悪品ないし不良品であるかのような印象を持つことはない。
このように判別表示２３Ａ〜２３Ｄは、判別表示２３Ａ〜２３Ｄがセンター表示２１から左右均等に配置されていなくても、それを観者（装着者）に意識させない機能を有する。
また、判別表示２３Ａ〜２３Ｄは、判別表示１１Ａ〜１１Ｄと同様に、機能１（吸収性物品１の一部が折り込まれていることを装着者に気づかせる機能）、機能２（左側部Ｘ１と右側部Ｘ３を左右方向に広げて使用者にあてがうことを装着者に意識させる機能）、機能３（吸収性物品１の上部Ｙ１と下部Ｙ３のどちらの面積が広いかを見分けやすくする機能）も果たす。
【００４６】
図１３は、文字を付加した判別表示２３Ａ〜２３Ｄの例を示した説明図である。
図１３に示すように、判別表示２３Ａにおいて、左側の列を形成する３個の図形２２ａに、上から下に「ひろげる」と表記した文字ｗ１が付加され（同図（ａ））、判別表示２３Ｂにおいて、右側の列を形成する３個の図形２２ｂに、下から上に「ひろげる」と表記した文字ｗ２が付加され（同図（ｂ））、判別表示２３Ｃにおいて、左側の列を形成する５個の図形２２ａに、上から下に「ひろげる」と表記した文字ｗ１が付加され（同図（ｃ））、判別表示２３Ｄにおいて、右側の列を形成する５個の図形２２ｂに、下から上に「ひろげる」と表記した文字ｗ２が付加されている（同図（ｄ））。
このように、判別表示２３Ａ〜２３Ｄに「ひろげる」を意味する文字ｗ１、ｗ２を付加することにより、判別表示１１Ａ〜１１Ｄに同様の文字を付加した場合と同様に、左側部Ｘ１と右側部Ｘ３を左右方向に広げて吸収性物品１を使用者にあてがうことを、装着者に強く意識させることができる。
【００４７】
［判別表示を設けたパッドタイプの吸収性物品の他の例］
図１４は、吸収性物品１とは異なる形状のパッドタイプの吸収性物品に判別表示を設けた態様の吸収性物品を広げて平面的にした状態の正面図であり、図において、３０は吸収性物品、３２は吸収体、３３は外装シート、Ｒ５、Ｒ６は領域、Ｘ４は左側部、Ｘ５は右側部、Ｙ４は上部、Ｙ５は下部である。
図１４に示すように、吸収性物品３０は、図１の吸収性物品１と同様に、吸収体３２と、これを正面側から覆う外装シート３３と、吸収体３２を背面側から覆う内面シート（図示せず）と、この内面シートに重ねられる立体ギャザーシート（図示せず）から構成される。
そして、吸収性物品３０と吸収体３２の形状は、図１の吸収性物品１と吸収体２の形状とは異なり、Ｘ方向において、上部Ｙ４（吸収性物品１の上部Ｙ１と中央部Ｙ２に相当する）にふくらみがなく、下部Ｙ５にふくらみのある形状となっている。
この吸収性物品３０においては、下部Ｙ５の左側部Ｘ４に領域Ｒ５が形成され、下部Ｙ５の右側部Ｘ５に領域Ｒ６が形成される。
図１４に示すように、領域Ｒ５のサイドフラップＳＦ５には、図形１０ａから構成される判別表示１１Ｃが設けられ、領域Ｒ６のサイドフラップＳＦ６には、図形１０ｂから構成される判別表示１１Ｄが設けられている。
このように吸収性物品３０において、下部Ｙ５のみに判別表示１１Ｃ、１１Ｄを設けているのは、吸収性物品３０を使用者に装着するに際し、ふくらみのない上部Ｙ４の左側部や右側部が内側または外側に折り込まれることは少ないが、ふくらみのある下部Ｙ５の左側部や右側部が内側または外側に折り込まれやすいからである。
そして、吸収性物品３０に設けられた判別表示１１Ｃ、１１Ｄは、吸収性物品３０の左側部Ｘ４や右側部Ｘ５の一部が折り込まれて使用者にあてがわれた場合、隠れて見えないことにより、吸収性物品３０の一部が折り込まれていることを装着者に気づかせる機能１、吸収性物品３０を使用者にあてがう際に、左側部Ｘ４と右側部Ｘ５を左右方向に広げて使用者にあてがうことを、装着者に意識させる機能２を果たす。
【００４８】
［判別表示を設けたテープ止めタイプの吸収性物品］
図１５は、テープ止めタイプの吸収性物品に判別表示を設けた態様の吸収性物品を広げて平面的にした状態の正面図であり、図において、４０はテープ止めタイプの吸収性物品、４２は吸収体、４３は外装シート、４７（４７ａ、４７ｂ）はテープ部材であるファスニングテープ、４８は止着部材であるフロントテープ、ＳＦ７〜ＳＦ１０はサイドフラップ、Ｘ６は左側部、Ｘ７は右側部、Ｙ６は上部、Ｙ７は下部である。
図１５に示すように、吸収性物品４０は、図１の吸収性物品１と同様に、吸収体４２と、これを正面側から覆う外装シート４３と、吸収体４２を背面側から覆う内面シート（図示せず）と、この内面シートに重ねられる立体ギャザーシート（図示せず）を備え、下部Ｙ７のサイドフラップＳＦ９、ＳＦ１０には、外側に突出するファスニングテープ４７ａ、４７ｂが取付けられ、外装シート４３の上部Ｙ６には、Ｘ方向（左右方向）長さのほぼ３／４を占める長方形状の止着部材であるフロントテープ４８が取付けられている。
そして、吸収性物品４０と吸収体４２の形状は、図１の吸収性物品１と吸収体２の形状とは異なり、Ｘ方向において、上部Ｙ６と下部Ｙ７においてふくらみがなく、上部Ｙ６と下部Ｙ７の間の中央部分が内側に湾曲してへんこんだ形状となっている。
この吸収性物品４０の使用に際しては、上部Ｙ６を使用者の腹側又は背側にあてがい、下部Ｙ７を使用者の背側又は腹側にあてがい、ファスニングテープ４７ａ、４７ｂをフロントテープ４８に係合させる。これにより、吸収性物品４０が使用者に装着固定されることとなる。
図１５に示すように、吸収性物品４０においては、上部Ｙ６の左側部Ｘ６のサイドフラップＳＦ７に、図形１０ａから構成される判別表示１１Ａが設けられ、上部Ｙ６の右側部Ｘ７のサイドフラップＳＦ７に、図形１０ｂから構成される判別表示１１Ｂが設けられ、下部Ｙ７の左側部Ｘ６のサイドフラップＳＦ９に、図形１０ａから構成される判別表示１１Ｃが設けられ、下部Ｙ７の右側部Ｘ７のサイドフラップＳＦ１０に、図形１０ｂから構成される判別表示１１Ｄが設けられている。
そして、テープ止めタイプの吸収性物品４０に設けられた判別表示１１Ａ〜１１Ｄは、吸収性物品１に設けられた判別表示１１Ａ〜１１Ｄと同様に、吸収性物品４０の左側部Ｘ６や右側部Ｘ７の一部が折り込まれて使用者にあてがわれた場合、隠れて見えないことにより、吸収性物品４０の一部が折り込まれていることを装着者に気づかせる機能１、吸収性物品４０を使用者にあてがう際に、左側部Ｘ６と右側部Ｘ７を左右方向に広げて使用者にあてがうことを装着者に意識させる機能２、吸収性物品４０の上部Ｙ６と下部Ｙ７のどちらの面積が広いかを見分けやすくする機能３を果たす。
【産業上の利用可能性】
【００４９】
本発明の吸収性物品は、外装シートと内面シートとの間に吸収体が挟持され、少なくとも腹側部と背側部のいずれかの横幅が股側部の横幅より広くなっている吸収性物品であって、判別表示が施されることにより、この吸収性物品を装着する際に腹側部あるいは背側部の左右側部の一部が内側または外側に折り込まれたことが容易に判別できるものである。
【符号の説明】
【００５０】
１  吸収性物品
２  吸収体
３  外装シート
３ａ  ポリエチレンフィルム
３ｂ  不織布、
４  内面シート
５、６  立体ギャザーシート
５ａ、６ａ  起立部
５ｂ、６ｂ  先端縁
５ｃ、６ｃ  折返し部
１０ａ、１０ｂ  図形
１１Ａ〜１１Ｄ  判別表示
１２ａ、１２ｂ  図形
１３Ａ〜１３Ｄ  判別表示
１４ａ、１４ｂ  図形
１５Ａ〜１５Ｄ  着色領域
１６Ａ〜１６Ｄ  判別表示
２０  図形
２１  センター表示
２２ａ、２２ｂ  図形
２３Ａ〜２３Ｄ  判別表示
３０  吸収性物品
３２  吸収体
３３  外装シート
４０  吸収性物品
４２  吸収体
４３  外装シート
４７、４７ａ、４７ｂ  ファスニングテープ
４８  フロントテープ
１００  吸収性物品
１０１  外装シート
１０２  吸収体
ｆ１０〜ｆ１２  折り線
ｇ１、ｇ２  外形線
ｍ１、ｍ２  仮想線
ｎ１、ｎ２  仮想線
ｗ１、ｗ２  文字
ＣＬ  中心線
Ｃ１１０  中心線
Ｄ１、Ｄ２  弾性部材
Ｒ１〜Ｒ４  領域
Ｒ５、Ｒ６  領域
ＳＦ  サイドフラップ
ＳＦ１〜ＳＦ１０  サイドフラップ
Ｘ１  左側部
Ｘ２  中央部
Ｘ３  右側部
Ｘ４  左側部
Ｘ５  右側部
Ｘ６  左側部
Ｘ７  右側部
Ｙ１  上部
Ｙ２  中央部
Ｙ３  下部
Ｙ４  上部
Ｙ５  下部
Ｙ６  上部
Ｙ７  下部
【図１】
2017217328.tif 000003
【図２】
2017217328.tif 000004
【図３】
2017217328.tif 000005
【図４】
2017217328.tif 000006
【図５】
2017217328.tif 000007
【図６】
2017217328.tif 000008
【図７】
2017217328.tif 000009
【図８】
2017217328.tif 000010
【図９】
2017217328.tif 000011
【図１０】
2017217328.tif 000012
【図１１】
2017217328.tif 000013
【図１２】
2017217328.tif 000014
【図１３】
2017217328.tif 000015
【図１４】
2017217328.tif 000016
【図１５】
2017217328.tif 000017
【図１６】
2017217328.tif 000018
【図１７】
2017217328.tif 000019